(57)【特許請求の範囲】
【請求項１】
自己の通信装置の使用者の名前の一部を項目として少なくとも含み、かつ、特定のフォーマット及びルールに従ってフィールドに前記項目の値を格納したデータである名刺情報を送信する名刺情報送信手段と、
他の通信装置の使用者の名前の一部を項目として少なくとも含み、かつ、前記特定のフォーマット及び前記ルールに従ってフィールドに前記項目の値を格納したデータである名刺情報を受信する名刺情報受信手段と、
前記名刺情報受信手段によって受信した前記他の通信装置の名刺情報を表示する名刺情報表示手段と、
前記自己の通信装置の名刺情報、および、前記他の通信装置の名刺情報を、それらの通信装置のアドレスと関連づけて記憶するとともに、前記自己の通信装置の名刺情報、または、前記他の通信装置の名刺情報がない場合に、それらの名刺情報として用いるための前記自己の通信装置に設定されている所定の情報を記憶する名刺情報記憶手段と、
自己の通信装置と通信可能な他の通信装置を、他の通信装置から送信された当該他の通信装置のアドレスを含むビーコンパケットを受信することにより検出する通信装置検出手段と、
を有し、
前記名刺情報送信手段は、前記通信装置検出手段により検出された他の通信装置に対して通信コネクションを設定し、自装置のアドレスを含む自装置の名刺情報を送信し、
前記名刺情報受信手段は、自装置が送信したビーコンパケットを受信することにより自装置を検出した他の通信装置との間で設定された通信コネクションにより、当該他の通信装置が送信した当該他の通信装置のアドレスを含む当該他の通信装置の名刺情報を受信し、
前記名刺情報記憶手段は、前記名刺情報受信手段で受信した他の通信装置の名刺情報を、当該他の通信装置のアドレスと関連づけて記憶し、
前記名刺情報表示手段は、前記受信したビーコンパケットに含まれるアドレスを用いて前記通信装置検出手段により検出された他の通信装置に対応する名刺情報を前記名刺情報記憶手段から呼び出して表示するものであり、前記通信装置検出手段により検出された他の通信装置に対応する名刺情報が前記名刺情報記憶手段に記憶されている場合には、その名刺情報のみを前記名刺情報記憶手段から呼び出して表示し、前記通信装置検出手段により検出された他の通信装置に対応する名刺情報が前記名刺情報記憶手段に記憶されていない場合には、前記所定の情報を前記名刺情報記憶手段から呼び出して表示する
ことを特徴とする通信装置。
【請求項２】
画像を撮影し、その画像情報を入力する画像入力手段を有し、
前記名刺情報送信手段は、前記画像情報を名刺情報と共に送信する
ことを特徴とする請求項１記載の通信装置。
【請求項３】
自己の通信装置の使用者の名前の一部を項目として少なくとも含み、かつ、特定のフォーマット及びルールに従ってフィールドに前記項目の値を格納したデータである名刺情報を送信する名刺情報送信ステップと、
他の通信装置の使用者の名前の一部を項目として少なくとも含み、かつ、前記特定のフォーマット及び前記ルールに従ってフィールドに前記項目の値を格納したデータである名刺情報を受信する名刺情報受信ステップと、
前記名刺情報受信ステップで受信した前記他の通信装置の名刺情報を表示する名刺情報表示ステップと、
前記自己の通信装置の名刺情報、および、前記他の通信装置の名刺情報を、それらの通信装置のアドレスと関連づけて記憶するとともに、前記自己の通信装置の名刺情報、または、前記他の通信装置の名刺情報がない場合に、それらの名刺情報として用いるための前記自己の通信装置に設定されている所定の情報を名刺情報記憶部に記憶する名刺情報記憶ステップと、
自己の通信装置と通信可能な他の通信装置を、他の通信装置から送信された当該他の通信装置のアドレスを含むビーコンパケットを受信することにより検出する通信装置検出ステップと、
を有し、
前記名刺情報送信ステップでは、前記通信装置検出ステップで検出された他の通信装置に対して通信コネクションを設定し、自装置のアドレスを含む自装置の名刺情報を送信し、
前記名刺情報受信ステップでは、自装置が送信したビーコンパケットを受信することにより自装置を検出した他の通信装置との間で設定された通信コネクションにより、当該他の通信装置が送信した当該他の通信装置のアドレスを含む当該他の通信装置の名刺情報を受信し、
前記名刺情報記憶ステップでは、前記名刺情報受信ステップで受信した他の通信装置の名刺情報を、当該他の通信装置のアドレスと関連づけて記憶し、
前記名刺情報表示ステップは、前記受信したビーコンパケットに含まれるアドレスを用いて前記通信装置検出ステップで検出された他の通信装置に対応する名刺情報を前記名刺情報記憶部から呼び出して表示するものであり、前記通信装置検出ステップで検出された他の通信装置に対応する名刺情報が前記名刺情報記憶部に記憶されている場合には、その名刺情報のみを前記名刺情報記憶部から呼び出して表示し、前記通信装置検出ステップで検出された他の通信装置に対応する名刺情報が前記名刺情報記憶部に記憶されていない場合には、前記所定の情報を前記名刺情報記憶部から呼び出して表示する
ことを特徴とする通信方法。
【請求項４】
コンピュータに、
自己の通信装置の使用者の名前の一部を項目として少なくとも含み、かつ、特定のフォーマット及びルールに従ってフィールドに前記項目の値を格納したデータである名刺情報を送信する名刺情報送信機能と、
他の通信装置の使用者の名前の一部を項目として少なくとも含み、かつ、前記特定のフォーマット及び前記ルールに従ってフィールドに前記項目の値を格納したデータである名刺情報を受信する名刺情報受信機能と、
前記名刺情報受信機能によって受信した前記他の通信装置の名刺情報を表示する名刺情報表示機能と、
前記自己の通信装置の名刺情報、および、前記他の通信装置の名刺情報を、それらの通信装置のアドレスと関連づけて記憶するとともに、前記自己の通信装置の名刺情報、または、前記他の通信装置の名刺情報がない場合に、それらの名刺情報として用いるための前記自己の通信装置に設定されている所定の情報を名刺情報記憶部に記憶する名刺情報記憶機能と、
自己の通信装置と通信可能な他の通信装置を、他の通信装置から送信された当該他の通信装置のアドレスを含むビーコンパケットを受信することにより検出する通信装置検出機能と、
を実現させるためのプログラムであり、
前記名刺情報送信機能では、前記通信装置検出機能で検出された他の通信装置に対して通信コネクションを設定し、自装置のアドレスを含む自装置の名刺情報を送信し、
前記名刺情報受信機能では、自装置が送信したビーコンパケットを受信することにより自装置を検出した他の通信装置との間で設定された通信コネクションにより、当該他の通信装置が送信した当該他の通信装置のアドレスを含む当該他の通信装置の名刺情報を受信し、
前記名刺情報記憶機能では、前記名刺情報受信機能で受信した他の通信装置の名刺情報を、当該他の通信装置のアドレスと関連づけて記憶し、
前記名刺情報表示機能は、前記受信したビーコンパケットに含まれるアドレスを用いて前記通信装置検出機能で検出された他の通信装置に対応する名刺情報を前記名刺情報記憶部から呼び出して表示するものであり、前記通信装置検出機能で検出された他の通信装置に対応する名刺情報が前記名刺情報記憶部に記憶されている場合には、その名刺情報のみを前記名刺情報記憶部から呼び出して表示し、前記通信装置検出機能で検出された他の通信装置に対応する名刺情報が前記名刺情報記憶部に記憶されていない場合には、前記所定の情報を前記名刺情報記憶部から呼び出して表示する
ことを実現させるためのプログラムを記録したコンピュータによって読み取り可能な記録媒体。
【発明の詳細な説明】
【０００１】
【発明の属する技術分野】
本発明は、通信ネットワークを介して送受信を行う通信装置及びその方法に関する。
【０００２】
【従来の技術】
通信装置を使用する使用者が自分に関する情報をその装置に登録しておくことは一般的に行われている。例えば、使用者の名前、住所、電話番号、勤務先や学校名、その電話番号、電子メールアドレスなどを登録しておくのである。これらのような、使用者個人に関する情報を「名刺情報」と呼ぶ。
【０００３】
名刺情報は、スキャナなどの読み取り装置を用いて実際の名刺を読み取り、その情報をもとに装置に記憶される場合もあるが、使用者が直接入力する場合もある。使用者の名刺情報を登録しておく装置の具体的な例としては、ＰＤＡ(Personal Digital Assistant)と呼ばれる装置が挙げられる。ＰＤＡは使用者の個人情報を管理（スケジュール管理やアクションアイテム管理、アドレス帳管理など）する機能を持つ。
【０００４】
さらに通信機能を持つＰＤＡは、予め登録された名刺情報を他のＰＤＡと交換し、受信した情報を自装置のアドレス帳に取り込むことができる。
【０００５】
このように、アドレス帳を管理する機能と、他人の使用するＰＤＡと名刺情報を交換する機能を連携させ、交換した名刺情報をアドレス帳に入れる、という機能を持つＰＤＡはすでに存在する。
【０００６】
名刺情報を登録しておく装置の第２の例としては、携帯型パソコンが挙げられる。一般に、個人情報を管理するソフトウェアをＰＩＭ(Personal Information Manager)ソフトと呼ぶが、ＰＩＭソフトもＰＤＡと同じく名刺交換機能及びそれと連携したアドレス帳管理機能を持つものが多い。
【０００７】
そして、名刺交換の際、使用者は「名刺情報送信」の操作をしなければならない。つまり、両方あるいは片方の使用者が「名刺情報送信」の操作をして初めて互いの名刺情報が交換される。このとき交換され記憶される情報は名刺情報のみである。
【０００８】
【発明が解決しようとする課題】
従来のＰＤＡなどの装置では、お互いに通信が可能な状態にあったとしても、必ず使用者が操作をして名刺情報送信を指示する必要があるという問題があった。
【０００９】
また、名刺交換の後に相手の装置と何らかの通信を開始しようとする場合、他装置を識別するにはアドレスかあるいは装置につけられた名前で区別するほかなく、使用者はアドレスあるいは装置につけられた名前を見ただけでは、所望の相手を間違えずに正しく選択することが難しい、という問題があった。
【００１０】
そこで、本発明は、自動的に名刺情報を交換し、それをディスプレイに表示して。使用者は名刺情報交換のための操作を行う必要がなくなる通信装置及びその方法を提供する。
【００１１】
【課題を解決するための手段】
請求項１の発明は、自己の通信装置の使用者の名前の一部を項目として少なくとも含み、かつ、特定のフォーマット及びルールに従ってフィールドに前記項目の値を格納したデータである名刺情報を送信する名刺情報送信手段と、他の通信装置の使用者の名前の一部を項目として少なくとも含み、かつ、前記特定のフォーマット及び前記ルールに従ってフィールドに前記項目の値を格納したデータである名刺情報を受信する名刺情報受信手段と、前記名刺情報受信手段によって受信した前記他の通信装置の名刺情報を表示する名刺情報表示手段と、前記自己の通信装置の名刺情報、および、前記他の通信装置の名刺情報を、それらの通信装置のアドレスと関連づけて記憶するとともに、前記自己の通信装置の名刺情報、または、前記他の通信装置の名刺情報がない場合に、それらの名刺情報として用いるための前記自己の通信装置に設定されている所定の情報を記憶する名刺情報記憶手段と、自己の通信装置と通信可能な他の通信装置を、他の通信装置から送信された当該他の通信装置のアドレスを含むビーコンパケットを受信することにより検出する通信装置検出手段と、を有し、前記名刺情報送信手段は、前記通信装置検出手段により検出された他の通信装置に対して通信コネクションを設定し、自装置のアドレスを含む自装置の名刺情報を送信し、前記名刺情報受信手段は、自装置が送信したビーコンパケットを受信することにより自装置を検出した他の通信装置との間で設定された通信コネクションにより、当該他の通信装置が送信した当該他の通信装置のアドレスを含む当該他の通信装置の名刺情報を受信し、前記名刺情報記憶手段は、前記名刺情報受信手段で受信した他の通信装置の名刺情報を、当該他の通信装置のアドレスと関連づけて記憶し、前記名刺情報表示手段は、前記受信したビーコンパケットに含まれるアドレスを用いて前記通信装置検出手段により検出された他の通信装置に対応する名刺情報を前記名刺情報記憶手段から呼び出して表示するものであり、前記通信装置検出手段により検出された他の通信装置に対応する名刺情報が前記名刺情報記憶手段に記憶されている場合には、その名刺情報のみを前記名刺情報記憶手段から呼び出して表示し、前記通信装置検出手段により検出された他の通信装置に対応する名刺情報が前記名刺情報記憶手段に記憶されていない場合には、前記所定の情報を前記名刺情報記憶手段から呼び出して表示することを特徴とする通信装置である。
【００２０】
なお、以下の説明では、自己の通信装置を自装置、自己の通信装置以外の他の通信装置を他装置という。
【００２１】
請求項１の発明は、自動的に名刺情報を送信し、それをディスプレイに表示する。これにより、使用者は名刺情報交換のための操作を行う必要がなくなる。
【００２２】
また、記憶されている名刺情報の中から、現在通信可能な装置の使用者の名刺情報を表示する。他の使用者と通信したくなった使用者は、表示された名刺情報の中から通信したい相手を選べばよく、通信したい相手の装置のアドレスや装置名を知らなくても通信を開始できる。
【００２９】
すなわち、本発明においては、通信可能な装置を発見したときに自動的に名刺情報を交換するので、いちいち使用者の手を煩わせる必要がなくなる。また、通信可能な装置のアドレスや名前の代わりに名刺情報を表示することにより、使用者は所望の相手と容易に通信を開始することができる。文字情報だけでなく画像情報も提示することにより、通信相手の選択がさらに容易になる。例えば、使用者の顔の画像などを送信することにより、自装置のディスプレイに表示された顔画像アイコンの中から所望の相手をクリックして通信を開始することができる。
【００３０】
【発明の実施の形態】
以下に本発明の実施形態について詳細に説明する。
【００３１】
［第１の実施例］
本発明の実施形態の第１の実施例に係る通信装置について図１から図３に基づいて説明する。
【００３２】
１．構  成
図１は、第１の実施例に係る通信装置の構成例を示したものである。
【００３３】
図１において、通信装置は、名刺情報記憶部１、名刺情報表示部２、名刺情報受信部３、名刺情報送信部４、通信装置検出部５、ネットワーク送受信部６、記憶デバイス７、ディスプレイ８、マウス９から構成される。
【００３４】
名刺情報記憶部１は、自己の通信装置（以下、「自装置」という）及び他の通信装置（以下、「他装置」という）の名刺情報を、ハードディスク、フラッシュメモリなどの記憶デバイスに記憶する。メーラー、スケジューラーなど他のアプリケーションでも利用可能な情報とするために、それらのアプリケーションで使用しているアドレス帳に取り込む形で記憶する。
【００３５】
名刺情報表示部２は、自装置及び他装置の名刺情報をディスプレイに表示させる。名刺情報の中から姓、名を抜き出し、それらを表のような形で表示するよう制御する。使用者の指示により、勤務先、所属や役職、電話番号などの詳細情報を表示する。
【００３６】
名刺情報受信部３は、ネットワーク送受信部６を介して他装置から送信された名刺情報のデータを受信し、受信したデータから名刺情報を取り出す。
【００３７】
名刺情報送信部４は、ネットワーク送受信部６を介して他装置と通信コネクションを設定する。そのコネクションを用いて他装置に名刺情報を送信する。送るべき名刺情報を、規定のフォーマットにしたがってデータ列に変換して送信する。送信が完了したら、通信コネクションを切断する。
【００３８】
通信装置検出部５は、自装置と通信可能な装置のリストを保持し、一定時間ごとに更新する。具体的には、自装置のアドレスを格納したビーコンパケットを周期的に送信し、他装置から送信されたビーコンパケットを受信して、通信可能な装置のリストの内容を更新する。
【００３９】
ネットワーク送受信部６は、他装置のネットワーク送受信部６と通信コネクションを設定し、このコネクションに対する送受信データの信頼性を保証する。伝送媒体としては電磁波を使用する。なお、光空間伝搬などの別方式を用いても同様の処理を行うことができる。
【００４０】
記憶デバイス７は、電子情報を記憶する記憶媒体で、磁気ディスク、フラッシュメモリなどである。
【００４１】
ディスプレイ８は、映像信号を表示するブラウン管や液晶ディスプレイのような表示装置である。使用者はこれに表示された映像を見ることができる。
【００４２】
マウス９は、ディスプレイ８に表示された二次元空間の中に表示されたマウスカーソルを使用者が動かす為の入力装置である。使用者はマウスを用いて通信装置に指示を出すことができる。
【００４３】
なお、上記では、名刺情報記憶部１、名刺情報表示部２、名刺情報受信部３、名刺情報送信部４、通信装置検出部５、ネットワーク送受信部６を装置的に表現したが、これに限らず、これら装置の機能を実現できるプログラムを作成して、通信可能なパソコン等に記憶させて実現させてもよい。この場合には、このプログラムは、ＦＤ，ＣＤ−ＲＯＭ，ＭＯに記録させておいてよく、また、ハードディスクに記録、または、インストールさせたものでもよい。これは、本実施例に限らず、以下に記載された第２の実施例から第５の実施例も同様である。
【００４４】
２．動作手順
次に、具体的な例に沿って動作の手順を示す。
【００４５】
(1) 通信装置検出部５は、自装置と通信可能な装置があるかどうかを常に監視し、通信可能な装置のリストを保持している。通信可能な装置を発見したら、そのアドレスを名刺情報伝送部４と名刺情報表示部２に通知する。
【００４６】
(2) 名刺情報送信部４は、通信装置検出部５から通信可能な装置があるという通知を受けると、その装置と通信コネクションを設定するようネットワーク送受信部６に指示する。
【００４７】
(3) ネットワーク送受信部６は、相手の装置とコネクションを設定する。このコネクションを通して送信したデータは、相手に正しく到着することが保証される。
【００４８】
(4) コネクションが設定されたら、名刺情報送信部４は名刺情報を送信する。
【００４９】
そのときの情報のフォーマットの例を図２に示す。
【００５０】
情報種別フィールド１１は情報の内容がどういったものであるかを表す値を格納する。この値が「１」であればこの情報は名刺情報であることを表す。
【００５１】
情報長フィールド１２は、内容フィールド１３に格納されているデータの長さをバイト単位で表した値を格納する。
【００５２】
内容フィールド１３には、情報の中身を格納し、名刺情報の場合には名前情報や所属情報、住所情報などの項目別に分類されて格納する。
【００５３】
各項目は、図３に示すようなフォーマットにしたがって格納する。
【００５４】
項目種別フィールド１４は、項目の種類を示す値である。
【００５５】
例えば、
装置のアドレスを格納する場合には「１」、
使用者の名を格納する場合には「２」、
使用者の姓を格納する場合には「３」、
使用者の勤務先などの所属情報を格納する場合には「４」、
勤務先住所を格納する場合には「５」、
勤務先電話番号の場合には「６」、
勤務先ＦＡＸ番号の場合には「７」、
勤務先で使用する電子メールアドレスの場合には「８」、
使用者の肩書などの役職情報の場合には「９」、
自宅住所の場合には「１０」、
自宅電話番号の場合には「１１」、
自宅ＦＡＸ番号の場合には「１２」、
自宅で使用する電気メールアドレスの場合には「１３」、
といった値を使用する。
【００５６】
項目長フィールド１５は、内容フィールド１６に格納されるデータの長さをバイト単位で表した値を格納する。
【００５７】
内容フィールド１６には、各項目に沿った情報の中身を格納する。
【００５８】
例えば、使用者の勤務先の項目には勤務先を表す文字情報を格納する。
【００５９】
(5) 名刺情報送信部４は、自装置の名刺情報を名刺情報記憶部１に要求する。
【００６０】
(6) 名刺情報記憶部１は、自装置の名刺情報を記憶デバイス７から読み取る。
【００６１】
(7) 名刺情報記憶部１から自装置の名刺情報を得た名刺情報送信部４は、前述のフォーマット及びルールに従って各フィールドに値を格納したデータを作成し、ネットワーク送受信部６にデータの送信を要求する。
【００６２】
(8) ネットワーク送受信部６は、名刺情報送信部４から受け取った名刺情報のデータを送信する。
【００６３】
(9) 相手の装置のネットワーク送受信部４は、データを受信し、そのデータの情報種別フィールド１１の値を読み取り、名刺情報であると判断すれば、その情報を名刺情報受信部３に渡す。
【００６４】
(10)名刺情報受信部３は、前述のフォーマット及びルールに従って情報を解釈し、他装置のアドレス、使用者の姓、名、所属などの名刺情報を取り出す。そして、他装置の名刺情報として記憶するよう名刺情報記憶部１に指示する。
【００６５】
(11)名刺情報記憶部１は、それらの情報を記憶デバイス７に記憶させる。メーラーなどで用いられているアドレス帳の形式で記憶させる。
【００６６】
(12)名刺情報表示部２は、通信装置検出部５から通信可能な装置のアドレス情報を受けた後、名刺情報記憶部１に対して、そのアドレスを持つ他装置の名刺情報を要求する。
【００６７】
(13)名刺情報記憶部１は、そのアドレスに対応する名刺情報を検索し、名刺情報があればその情報を名刺情報表示部２に渡す。名刺情報がなければその旨を名刺情報表示部２に通知する。
【００６８】
(14)名刺情報表示部２は、名刺情報記憶部１から名刺情報を受ければ、それをディスプレイ８に表示する。すでに他の名刺情報を表示していれば、それらに追加してして表示する。もし名刺情報記憶部１からそのアドレスに対応する名刺情報がないとの通知を受ければ、一定時間をおいて再度名刺情報記憶部１にそのアドレスに対応する名刺情報を要求する。
【００６９】
名刺情報表示部２は、表示可能なサイズ、表示する名刺情報の数などから、名刺情報の中から適宜項目を選択して表示する。
【００７０】
例えば、表示可能なサイズが小さく、すべての名刺情報におけるすべての項目を表示できない場合には、表示する項目を姓名だけとする。
【００７１】
それでもすべての名刺情報が表示しきれない場合にはスクロールバーをつける。各名刺情報の姓名以外の項目については、その姓名をマウスでダブルクリックすると新たなダイアログが現れ、表示される。
【００７２】
［第２の実施例］
次に、第２の実施例について説明する。構成の例を図４に示す。
【００７３】
各部の動作は第１の実施例とほぼ同様であるが、名刺情報記憶部２１、名刺情報表示部２２、通信装置検出部２５の動作が異なる。なお、第１の実施例と対応する装置の参照番号は、第１の実施例の装置の参照番号を２０番台にしたものとする。
【００７４】
名刺情報記憶部２１は、自装置及び他装置の名刺情報を、ハードディスク、フラッシュメモリなどの記憶デバイスに記憶する。メーラー、スケジューラーなど他のアプリケーションでも利用可能な情報とするために、それらのアプリケーションで使用しているアドレス帳に取り込む形で記憶する。また、名刺情報の他に、現在自装置とその他装置が通信可能かどうかの情報も記憶する。
【００７５】
名刺情報表示部２２は、自装置及び他装置の名刺情報をディスプレイに表示させる。名刺情報の中から姓、名を抜き出し、それらを表のような形で表示するよう制御する。使用者の指示により、勤務先、所属や役職、電話番号などの詳細情報を表示する。また、使用者からの指示により、表示する名刺情報を現在通信可能な装置に対応する名刺情報のみに表示を変更する。
【００７６】
通信装置検出部２５は、自装置と通信可能な装置のリストを保持し、一定時間ごとに更新する。
【００７７】
具体的には、自装置のアドレスを格納したビーコンパケットを周期的に送信し、他装置から送信されたビーコンパケットを受信して、通信可能な装置のリストの内容を更新する。
【００７８】
その結果、通信可能であった装置が通信可能でなくなった場合、そのアドレスを名刺情報記憶部２１に通知する。
【００７９】
表示する名刺情報を現在通信可能な装置の情報のみにせよ、という要求が来た場合、名刺情報表示部２２は名刺情報表示部２１に対して、現在通信可能な装置の名刺情報を要求する。その要求を受けた名刺情報記憶部２１は、現在通信可能な装置をアドレス帳などから検索し、その結果得られた各装置に対応する名刺情報を名刺情報表示部２２に渡す。名刺情報表示部２２は、それらの名刺情報をディスプレイに表示する。
【００８０】
［第３の実施例］
次に、第３の実施例について説明する。
【００８１】
各部の動作は第１の実施例とほぼ同様であるが、名刺情報記憶部１の動作が異なる。なお、構成図は図１と同様である。
【００８２】
名刺情報記憶部１は、自装置及び他装置の名刺情報を、ハードディスク、フラッシュメモリなどの記憶デバイスに記憶する。メーラー、スケジューラーなど他のアプリケーションでも利用可能な情報とするために、それらのアプリケーションで使用しているアドレス帳に取り込む形で記憶する。
【００８３】
また、各装置と自装置が通信可能となった最近の日時、接続した最近の日時、そのときに利用したサービス、トータル接続回数、その装置が提供できるサービスなどの付帯情報を記憶する。
【００８４】
［第４の実施例］
次に、第４の実施例について説明する。構成例を図５に示す。
【００８５】
各部の動作は第１の実施例とほぼ同様であるが、画像変換部４０、カメラ４１が付加されている。さらに名刺情報送信部３４、名刺情報受信部３３、名刺情報表示部３２の動作が異なる。なお、第１の実施例と対応する装置の参照番号は、第１の実施例の装置の参照番号を３０番台にしたものとする。
【００８６】
画像変換部４０は、カメラ４１から受けた画像信号をコンピュータ上での処理に適した電子的な情報に変換する。ＪＰＥＧ、ＧＩＦ、ＢＭＰなどの標準的なフォーマットに変換することができる。
【００８７】
カメラ４１は、光学的に得た画像を電気的な画像信号に変換する。
【００８８】
名刺情報送信部３４は、ネットワーク送受信部６を介して他装置と通信コネクションを設定する。そのコネクションを用いて他装置に名刺情報を送信する。送るべき名刺情報を、規定のフォーマットに従ってデータ列に変換して送信する。
【００８９】
また、名刺情報送信部３４は画像変換部４０から得た画像情報を名刺情報とともに送信する。画像情報は、必要に応じて圧縮してから送信する。送信時のフォーマットは図２、図３に従う。画像情報を送信する場合の情報種別フィールドの値は１（名刺情報）、項目種別フィールドの値は１００を用いる。送信が完了したら通信コネクションを切断する。
【００９０】
名刺情報受信部３３は、ネットワーク送受信部６を介して他装置から送信された名刺情報のデータを受信し、受信したデータから名刺情報を取り出す。また、受信した画像情報が圧縮されていれば伸長し、名刺情報記憶部３１に記憶するよう要求する。
【００９１】
名刺情報表示部３２は、自装置及び他装置の名刺情報をディスプレイに表示させる。名刺情報の中から画像、姓、名を抜き出し、それらを表のような形で表示するよう制御する。使用者の指示により、勤務先、所属や役職、電話番号などの詳細情報を表示する。
【００９２】
また、表示可能なサイズに応じて、画像を適当に間引いて表示する。使用者が画像の上にマウスカーソルを持っていき、ダブルクリックすると、勤務先や所属などの詳細情報が表示されたダイアログが現れる。
【００９３】
［第５の実施例］
次に、第５の実施例について説明する。
【００９４】
各部の動作は第１の実施例とほぼ同様であるが、名刺情報記憶部１、名刺情報表示部２、名刺情報送信部４の動作が異なる。なお、構成図は図１のものと同様である。
【００９５】
名刺情報記憶部１は、自装置及び他装置の名刺情報を、ハードディスク、フラッシュメモリなどの記憶デバイスに記憶する。メーラー、スケジューラーなど他のアプリケーションでも利用可能な情報とするために、それらのアプリケーションで使用しているアドレス帳に取り込む形で記憶する。自装置の名刺情報が設定されていない場合は、自装置の中に設定されている値の中から適当な値（例えばコンピュータのログイン名など）を検索し、あればその値を自装置の名刺情報として記憶する。適当な値がなければ、所定の文字列（例えば「名前不明」、「未知の使用者」など）を自装置の名刺情報として記憶する。これらの名刺情報は、使用者が名刺情報を設定すれば自動的に上書きされる。また、他装置が空の名刺情報を送信してきた、などの理由で他装置の名刺情報が得られない場合、自装置で設定されている情報の中から適当な値（例えば、過去に接続したことのある装置のデータベースから取得するなど）を取得するか、あるいは所定の文字列（「名前不明」、「未知の使用者」など）を名刺情報として記憶する。これらの名刺情報は、その他装置から名刺情報が送信されてきたら、その時点で上書きされる。
【００９６】
名刺情報表示部２は、自装置及び他装置の名刺情報をディスプレイに表示させる。名刺情報の中から姓、名を抜き出し、それらを表のような形で表示するよう制御する。使用者の指示により、勤務先、所属や役職、電話番号などの詳細情報を表示する。また、他装置が空の名刺情報を送信してきた、などの理由で他装置の名刺情報が得られない場合、自装置で設定されている情報の中から適当な値（例えば、過去に接続したことのある装置のデータベースから取得するなど）を取得するか、あるいは所定の文字列（「名前不明」、「未知の使用者」など）を名刺情報としてディスプレイに表示する。
【００９７】
名刺情報送信部４は、ネットワーク送受信部６を介して他装置と通信コネクションを設定する。そのコネクションを用いて他装置に名刺情報を送信する。送るべき名刺情報を、規定のフォーマットに従ってデータ列に変換して送信する。送信が完了したら、通信コネクションを切断する。また、自装置の名刺情報が予め設定されていなくても、自装置で設定されている情報の中から適当な値（例えばコンピュータのログイン名など）を取得して、それを名刺情報の「姓」の項目としてデータ列を作成して送信する。あるいは、所定の文字列（「名前不明」、「未知の使用者」など）を自装置の名刺情報の「姓」の項目として送信する。
【００９８】
【発明の効果】
本発明により、使用者は名刺情報交換の際に通信装置を操作する必要がなく、自動的に他装置の名刺情報を集めることができる。
【００９９】
また、それらの情報が使用者は通信可能な装置のリストを表示するのに用いられるので、アドレスや装置の名前を提示されるよりも容易に通信を開始することができる。
【０１００】
前回接続時の情報を記憶しておけば、それを利用して、次回通信可能となった時に前回と同じ接続状態に自動的に持っていくことが可能となる。例えば、過去に接続した際の履歴情報を利用して、以前にファイル転送を実行した装置の一覧を得たり、次回接続したら自動的にファイル転送をするように設定するなどの仕掛けを施すことができる。
【０１０１】
名刺情報として、文字情報だけでなく画像情報も付加すれば、使用者にとってよりわかりやすくなり、利便性、操作性が向上する。
【０１０２】
また、仮に名刺情報が装置に設定されていなくてもとりあえず通信できる状態にあると、使用者にとっては非常に便利である。予め組み込まれた仮の情報を用いて相手を表示したり、ＰＣの場合はログイン名を自装置の名刺情報として送信すれば、必ずしも名刺情報を設定しておかなくても通信装置として機能させることができる。
【図面の簡単な説明】
【図１】本発明の第１の実施例に係る通信装置の構成例を示す図である。
【図２】本実施例において、送受信する際のデータフォーマットを示す図である。
【図３】本実施例において、名刺情報を送受信する際の各項目のフォーマットを示す図である。
【図４】本発明の第２の実施例に係る通信装置の構成例を示す図である。
【図５】本発明の第４の実施例に係る通信装置の構成例を示す図である。
【符号の説明】
１  名刺情報記憶部
２  名刺情報表示部
３  名刺情報受信部
４  名刺情報送信部
５  通信装置検出部
６  ネットワーク送受信部
７  記憶デバイス
８  ディスプレイ
９  マウス
１１  情報種別フィールド
１２  情報長フィールド
１３  情報内容フィールド
１４  項目種別フィールド
１５  項目長フィールド
１６  項目内容フィールド
２１  名刺情報記憶部
２２  名刺情報表示部
２３  名刺情報受信部
２４  名刺情報送信部
２５  通信装置検出部
２６  ネットワーク送受信部
２７  記憶デバイス
２８  ディスプレイ
２９  マウス
３１  名刺情報記憶部
３２  名刺情報表示部
３３  名刺情報受信部
３４  名刺情報送信部
３５  通信装置検出部
３６  ネットワーク送受信部
３７  記憶デバイス
３８  ディスプレイ
３９  マウス
４０  画像変換部
４１  カメラ
【図１】
0004004683.tif 000002
【図２】
0004004683.tif 000003
【図３】
0004004683.tif 000004
【図４】
0004004683.tif 000005
【図５】
0004004683.tif 000006